(57)【特許請求の範囲】
【請求項１】
カイラルネマチック液晶を含み少なくとも２つの安定状態を呈するメモリ性液晶層と、複数のコモン電極および複数のセグメント電極を含み、コモン電極を１本ずつ選択するように走査する液晶表示装置の駆動方法であって、
コモン電極の総数をＬ、
前記メモリ性液晶層をオン表示にするための電圧を前記メモリ性液晶層に印加するときの各コモン電極の選択期間をＡｔ秒、
前記メモリ性液晶層をオン表示にするための電圧を印加する少なくとも１回の走査であり、全てのコモン電極を１本ずつ選択するように行う走査の回数をＡｎ回（Ａｎ：１以上の整数）、
前記メモリ性液晶層をオフ表示にするための電圧を前記メモリ性液晶層に印加するときの各コモン電極の選択期間をＢｔ秒、
前記メモリ性液晶層をオフ表示にするための電圧を印加する走査の回数をＢｎ回（Ｂｎ：０以上の整数）、
表示データに対応する電圧を前記メモリ性液晶層に印加するときの各コモン電極の選択期間をＷｔ秒、
表示データに対応する電圧を前記メモリ性液晶層に印加する走査の回数をＷｎ回（Ｗｎ：２以上の整数）としたときに、
Ｌ（Ａｔ・Ａｎ＋Ｂｔ・Ｂｎ＋Ｗｔ・Ｗｎ）が所定の時間以下となるようにＡｎ、Ｂｎ、およびＷｎを定め、前記メモリ性液晶層をオン表示にするためのオン電圧を、前記メモリ性液晶層をオフ表示にするためのオフ電圧よりも高くし、
オン電圧を前記メモリ性液晶層に印加し、
次にオフ電圧を前記メモリ性液晶層に印加し、
次に表示データに対応する電圧を前記メモリ性液晶層に印加する
ことを特徴とする液晶表示装置の駆動方法。
【請求項２】
カイラルネマチック液晶を含み少なくとも２つの安定状態を呈するメモリ性液晶層と、複数のコモン電極および複数のセグメント電極を含み、コモン電極を１本ずつ選択するように走査する液晶表示装置の駆動方法であって、
コモン電極の総数をＬ、
前記メモリ性液晶層をオン表示にするための電圧を前記メモリ性液晶層に印加するときの各コモン電極の選択期間をＡｔ秒、
前記メモリ性液晶層をオン表示にするための電圧を印加する少なくとも１回の走査であり、全てのコモン電極を１本ずつ選択するように行う走査の回数をＡｎ回（Ａｎ：１以上の整数）、
前記メモリ性液晶層をオフ表示にするための電圧を前記メモリ性液晶層に印加するときの各コモン電極の選択期間をＢｔ秒、
前記メモリ性液晶層をオフ表示にするための電圧を印加する走査の回数をＢｎ回（Ｂｎ：０以上の整数）、
表示データに対応する電圧を前記メモリ性液晶層に印加するときの各コモン電極の選択期間をＷｔ秒、
表示データに対応する電圧を前記メモリ性液晶層に印加する走査の回数をＷｎ回（Ｗｎ：１以上の整数）としたときに、
Ｌ（Ａｔ・Ａｎ＋Ｂｔ・Ｂｎ＋Ｗｔ・Ｗｎ）が所定の時間以下となるようにＡｎ、Ｂｎ、およびＷｎを定め、前記メモリ性液晶層をオン表示にするためのオン電圧を、前記メモリ性液晶層をオフ表示にするためのオフ電圧よりも高くし、
オン電圧を前記メモリ性液晶層に印加し、
次にオフ電圧を前記メモリ性液晶層に印加し、
次に表示データに対応する電圧を前記メモリ性液晶層に印加し、
Ａｔ＝Ｂｔ＝Ｗｔを満足する
ことを特徴とする液晶表示装置の駆動方法。
【請求項３】
Ａｎ＝Ｂｎ＝Ｗｎ（ただしＢｎ＝０の場合を除く。）を満足する請求項１または２に記載の液晶表示装置の駆動方法。
【請求項４】
Ｂｎ＝０であってメモリ性液晶層にオフ電圧を印加しない請求項１または２に記載の液晶表示装置の駆動方法。
【請求項５】
Ｂｎ＝０であってメモリ性液晶層にオフ電圧を印加せず、かつＡｎ＝Ｗｎを満足する請求項１または２に記載の液晶表示装置の駆動方法。
【請求項６】
Ａｔ≧Ｗｔを満足する請求項１、３、４、または５に記載の液晶表示装置の駆動方法。
【請求項７】
Ａｔ≧１．２・Ｗｔを満足する請求項１、３、４、または５に記載の液晶表示装置の駆動方法。
【請求項８】
Ｗｎが、１または２である請求項２、３、４、５、６、または７に記載の液晶表示装置の駆動方法。
【請求項９】
Ａｎ＝Ｗｎ＝２である請求項１〜８のいずれか１項に記載の液晶表示装置の駆動方法。
【請求項１０】
メモリ性液晶層によって生ずる選択反射波長域に可視光が含まれる請求項１〜９のいずれか１項に記載の液晶表示装置の駆動方法。
【請求項１１】
メモリ性液晶層によって生ずる選択反射波長域に赤外光または紫外光が含まれる請求項１〜９のいずれか１項に記載の液晶表示装置の駆動方法。
【発明の詳細な説明】
【０００１】
【発明の属する技術分野】
本発明は、メモリ性液晶を有する液晶表示装置の駆動方法に関する。
【０００２】
【従来の技術】
現在、ＴＮ、ＳＴＮ、ＴＦＴ液晶表示素子が広く使用されている。これらの液晶表示素子は、所定の駆動を常時行って表示を行う。これに対し、メモリ性の動作モードを有するコレステリックまたはカイラルネマチック液晶等のメモリ性液晶が注目され、それを備えた液晶表示装置の実用化が検討されている。
【０００３】
一対の平行基板間に挟持されたメモリ性液晶は、その液晶ディレクタが一定周期でねじれた「ねじれ構造」を有する。そのねじれの中心軸（以下、ヘリカル軸という。）が基板に対して平均的に垂直方向になる配列が存在する。
【０００４】
複数の液晶ドメインの各ヘリカル軸の平均的な方向が基板面に対してほぼ垂直となる状態をプレナー状態という。プレナー状態では、入射光のうちの、液晶層のねじれの向きに対応した円偏光を選択反射する。選択反射される波長λは、液晶組成物の平均屈折率ｎＡＶＧと液晶組成物のピッチｐの積にほぼ等しい（λ＝ｎＡＶＧ・ｐ）。
【０００５】
ピッチｐは、カイラル剤等の光学活性物質の添加量ｃと光学活性物質の定数ＨＴＰ（Ｈｅｌｉｃａｌ  Ｔｗｉｓｔｉｎｇ  Ｐｏｗｅｒ）から、ｐ＝１／（ｃ・ＨＴＰ）によって決まる。したがって、選択反射波長は、光学活性物質の種類と添加量によって調整できる。メモリ性液晶の選択反射波長を可視域外となるようにピッチを設定すれば、選択反射時に目視では透明になり透過散乱の動作モードを呈する。
【０００６】
選択反射を呈するプレナー状態に対して、複数の液晶ドメインのヘリカル軸が基板面に対してランダム方向または非垂直方向に配列したフォーカルコニック状態をとることもできる。一般的に、フォーカルコニック状態の液晶層は全体として弱い散乱状態を示す。選択反射時のように特定の波長の光を反射することはない。また、フォーカルコニック状態およびプレナー状態は、無電界時でも安定に存在する。
【０００７】
図１２（ａ）はプレナー状態、図１２（ｂ）はフォーカルコニック状態の模式図であり、鼓型で示す液晶ドメインの配列状態を示す。
【０００８】
図１２（ｂ）のフォーカルコニック状態のときに、裏面側に吸収層を設けることよって吸収層の色の表示が得られる。したがって、明状態であるプレナー状態と、暗状態（吸収層が黒の場合）であるフォーカルコニック状態の２状態を利用したメモリ型の表示動作を実現できる。
【０００９】
液晶表示装置のセル構造、液晶材料、駆動法などの基本構成については、非特許文献１や特許文献１〜６に示されている。また、特許文献２は、プレナー状態とフォーカルコニック状態が混在した安定的な中間状態が存在し、表示に利用できることを示している。
【００１０】
次に、液晶表示装置の駆動法について説明をする。特許文献１では、駆動電圧の振幅の大きさによって、プレナー状態をフォーカルコニック状態に、またフォーカルコニック状態をプレナー状態にそれぞれ変化させている。後者の場合は、液晶分子が電圧印加方向にほぼ平行になるホメオトロピック状態を経由して起こすので、最も高い電圧が必要とされる。
【００１１】
メモリ性液晶では、一連の印加電圧波形の実効値が直接電圧消去後の状態を決定するのではなく、電圧消去後の表示は、直前に印加された電圧パルスの印加時間および振幅値に依存する。
【００１２】
次に、液晶表示装置におけるマトリクス表示について説明する。フォーカルコニック状態に転移させる電圧をＶＦとし、プレナー状態に転移させる下限電圧をＶＰとし、電圧を印加しても表示状態が変わらない上限電圧をＶＳとする。
【００１３】
線順次駆動を行う場合、行電極に電圧振幅Ｖｒの電圧パルスを入力し、それに同期して列電極には電圧振幅Ｖｃの電圧パルス（選択パルス）を入力する。各行電極に対して１度ずつ選択パルスを入力して、１表示シーケンスを完了する。表示シーケンスにおいて、オン表示が選択された場合には表示画素に（Ｖｒ＋Ｖｃ）の電圧振幅が１度だけ入力され、オン表示の非選択期間では電圧Ｖｃが印加される。また、オフ表示が選択された場合には表示画素に（Ｖｒ−Ｖｃ）の電圧振幅が１度だけ入力され、オフ表示の非選択期間では電圧Ｖｃが印加される。オン時にはプレナー状態が選択され、オフ時にはフォーカルコニック状態が選択されるとすると、それぞれの条件は以下の通りである。
【００１４】
Ｖｒ＋Ｖｃ＞ＶＰ、Ｖｒ−Ｖｃ＝ＶＦ
【００１５】
さらに、書き込まれた状態が変化しないように、Ｖｃ＜ＶＳでなければならない。以上のように印加電圧の制御を行えばマトリクス表示が可能になる。
【００１６】
液晶表示装置では走査電極数が増加しても、表示データが書き込まれた状態での表示品位は悪化しない。また、電極数が増加しても駆動電圧は増大しない。
【００１７】
【特許文献１】
米国特許第３９３６８１５号明細書
【００１８】
【特許文献２】
米国特許第４０９７１２７号明細書
【００１９】
【特許文献３】
米国特許出願公開第２００２／００３６６１４Ａ１明細書
【００２０】
【特許文献４】
米国特許出願公開第２００２／００４７８１９Ａ１明細書
【００２１】
【特許文献５】
米国特許出願公開第２００２／０１２２１４８Ａ１明細書
【００２２】
【特許文献６】
米国特許出願公開第２００２／０１２６２２９Ａ１明細書
【００２３】
【非特許文献１】
George H.Heilmeier, Joel E.Goldmacher et al, Appl. Phys. Lett., 13(1968),132
【００２４】
【発明が解決しようとする課題】
液晶表示装置では、電圧消去後の表示は、直前に印加された電圧パルスの印加時間および振幅値に依存するので、表示を保持するために常時電圧を印加する必要はないのであるが、長時間放置しておくと、新たな表示データを書き込むときに、それ以前の表示状態が残像として残ってしまう現象が生ずる。このような残像を残さずに、新たな表示データを書き込めることが望ましい。
【００２５】
また、行電極および列電極には、それぞれ駆動ＩＣ（行ドライバおよび列ドライバ）によって電圧パルスが入力される。駆動ＩＣには、電源形成用ＩＣ（液晶電源装置）から必要な電圧が供給される。駆動ＩＣは複数の演算増幅器接続部（以下、オペアンプ接続部と記す。）を有し、駆動ＩＣと液晶電源装置は、可変抵抗および演算増幅器（オペアンプ）を介して接続される。駆動ＩＣの各オペアンプ接続部には所定の電位が設定され、各オペアンプ接続部の電位の高低関係は保たれる必要がある。しかし、液晶表示装置を駆動する際、全行電極を同時に選択し、画面全体のメモリ性液晶に電圧を印加しようとすると、駆動ＩＣを流れる電流が多くなり、駆動ＩＣの負荷が大きくなる。具体的には、各オペアンプ接続部の電位の高低関係が保たれなくなる場合が生じる。多くの電流が流れても各オペアンプ接続部の電位の高低関係が保たれるような駆動ＩＣを実現する場合、駆動ＩＣを大きくする必要が生じたり、消費電力が増加してしまうことが考えられる。また、液晶駆動装置の生産コストも高くなってしまう。
【００２６】
また、表示書換時間の短縮化、駆動ＩＣの簡易化、書き換えた表示のコントラストの向上等を図れることが望ましい。
【００２７】
本発明は、上記の課題を解決し、残像を残さずに、また、駆動ＩＣに負荷を与えずに新たな表示を書き込むことができる液晶表示装置の駆動方法を提供することを目的とする。
【００２８】
【課題を解決するための手段】
本発明の態様１は、カイラルネマチック液晶を含み少なくとも２つの安定状態を呈するメモリ性液晶層と、複数のコモン電極および複数のセグメント電極を含み、コモン電極を１本ずつ選択するように走査する液晶表示装置の駆動方法であって、コモン電極の総数をＬ、メモリ性液晶層をオン表示にするための電圧をメモリ性液晶層に印加するときの各コモン電極の選択期間をＡｔ秒、メモリ性液晶層をオン表示にするための電圧を印加する少なくとも１回の走査であり、全てのコモン電極を１本ずつ選択するように行う走査の回数をＡｎ回（Ａｎ：１以上の整数）、メモリ性液晶層をオフ表示にするための電圧をメモリ性液晶層に印加するときの各コモン電極の選択期間をＢｔ秒、メモリ性液晶層をオフ表示にするための電圧を印加する走査の回数をＢｎ回（Ｂｎ：０以上の整数）、表示データに対応する電圧をメモリ性液晶層に印加するときの各コモン電極の選択期間をＷｔ秒、表示データに対応する電圧をメモリ性液晶層に印加する走査の回数をＷｎ回（Ｗｎ：２以上の整数）としたときに、Ｌ（Ａｔ・Ａｎ＋Ｂｔ・Ｂｎ＋Ｗｔ・Ｗｎ）が所定の時間以下となるようにＡｎ、Ｂｎ、およびＷｎを定め、メモリ性液晶層をオン表示にするためのオン電圧を、メモリ性液晶層をオフ表示にするためのオフ電圧よりも高くし、オン電圧をメモリ性液晶層に印加し、次にオフ電圧をメモリ性液晶層に印加し、次に表示データに対応する電圧をメモリ性液晶層に印加することを特徴とする液晶表示装置の駆動方法を提供する。
【００２９】
本発明の態様２は、カイラルネマチック液晶を含み少なくとも２つの安定状態を呈するメモリ性液晶層と、複数のコモン電極および複数のセグメント電極を含み、コモン電極を１本ずつ選択するように走査する液晶表示装置の駆動方法であって、コモン電極の総数をＬ、メモリ性液晶層をオン表示にするための電圧をメモリ性液晶層に印加するときの各コモン電極の選択期間をＡｔ秒、メモリ性液晶層をオン表示にするための電圧を印加する少なくとも１回の走査であり、全てのコモン電極を１本ずつ選択するように行う走査の回数をＡｎ回（Ａｎ：１以上の整数）、メモリ性液晶層をオフ表示にするための電圧をメモリ性液晶層に印加するときの各コモン電極の選択期間をＢｔ秒、メモリ性液晶層をオフ表示にするための電圧を印加する走査の回数をＢｎ回（Ｂｎ：０以上の整数）、表示データに対応する電圧をメモリ性液晶層に印加するときの各コモン電極の選択期間をＷｔ秒、表示データに対応する電圧をメモリ性液晶層に印加する走査の回数をＷｎ回（Ｗｎ：１以上の整数）としたときに、Ｌ（Ａｔ・Ａｎ＋Ｂｔ・Ｂｎ＋Ｗｔ・Ｗｎ）が所定の時間以下となるようにＡｎ、Ｂｎ、およびＷｎを定め、メモリ性液晶層をオン表示にするためのオン電圧を、メモリ性液晶層をオフ表示にするためのオフ電圧よりも高くし、オン電圧をメモリ性液晶層に印加し、次にオフ電圧をメモリ性液晶層に印加し、Ａｔ＝Ｂｔ＝Ｗｔを満足する液晶表示装置の駆動方法を提供する。このような駆動方法によれば、駆動装置を簡易化することができる。
【００３０】
本発明の態様３は、Ａｎ＝Ｂｎ＝Ｗｎ（ただしＢｎ＝０の場合を除く。）を満足する液晶表示装置の駆動方法を提供する。このような駆動方法によれば、駆動装置を簡易化することができる。
【００３１】
本発明の態様４は、Ｂｎ＝０であってメモリ性液晶層にオフ電圧を印加しない液晶表示装置の駆動方法を提供する。
【００３２】
本発明の態様５は、Ｂｎ＝０であってメモリ性液晶層にオフ電圧を印加せず、かつＡｎ＝Ｗｎを満足する液晶表示装置の駆動方法を提供する。このような駆動方法によれば、駆動装置を簡易化することができる。
【００３３】
本発明の態様６は、Ａｔ≧Ｗｔを満足する液晶表示装置の駆動方法を提供する。このような駆動方法によれば、コントラストを向上でき、また、動作許容電圧を広げることができる。
【００３４】
本発明の態様７は、Ａｔ≧１．２・Ｗｔを満足する液晶表示装置の駆動方法を提供する。このような駆動方法によれば、さらにコントラストを向上でき、また、動作許容電圧をさらに広げることができる。
【００３５】
本発明の態様８は、Ｗｎが、１または２である液晶表示装置の駆動方法を提供する。このような駆動方法によれば、表示の書き換え完了までの時間を短縮することができる。
【００３６】
本発明の態様９は、Ａｎ＝Ｗｎ＝２である液晶表示装置の駆動方法を提供する。
【００３７】
本発明の態様１０は、メモリ性液晶層によって生ずる選択反射波長域に可視光が含まれる液晶表示装置の駆動方法を提供する。
【００３８】
本発明の態様１１は、メモリ性液晶層によって生ずる選択反射波長域に赤外光または紫外光が含まれる液晶表示装置の駆動方法を提供する。
【００３９】
【発明の実施の形態】
図１に本発明の液晶表示装置の模式的断面図を示す。図１に示す液晶表示装置は、ガラス基板１Ａ、１Ｂ、電極２Ａ、２Ｂ、高分子薄膜３Ａ、３Ｂ、液晶組成物（メモリ性液晶）４、および裏面側に黒色の光吸収体５が配置され、フォーカルコニック状態とプレナー状態を安定に表示する液晶パネルである。電極２Ａ、２Ｂの一方は行電極（コモン電極）であり、他方は列電極（セグメント電極）である。以下の説明では、電極２Ａが列電極であり、電極２Ｂが行電極であるとする。
【００４０】
高分子薄膜３Ａ、３Ｂは、ポリイミド等の有機薄膜によって形成する。高分子薄膜３Ａ、３Ｂの代わりにシリカなどの無機薄膜を形成してもよい。しかし、メモリ性液晶に接する薄膜の表面をラビング処理すると、薄膜の種類によってはメモリ性液晶のフォーカルコニック状態の安定性が失われてしまうことがある。よって、ラビング無しの薄膜を設けるか、または、電極と液晶組成物が直接接するように設ける。
【００４１】
電極間間隙はスペーサー等で保持し、２〜１５μｍが好ましい。さらには、３〜６μｍが好ましい。電極間隙が小さすぎると表示のコントラスト比が低下し、大きすぎると駆動電圧が上昇するからである。
【００４２】
表示の態様は、例えば、ドットマトリックス表示である。コモン電極を走査する表示態様であれば、セグメント表示などの非フルドットマトリックス表示であってもよい。基板は、ガラス基板でも樹脂基板でもよく、また、ガラス基板と樹脂基板の組み合わせでもよい。反射表示素子として用いる場合には、どちらか一方の基板の内面または外面に光吸収体を設置するか、または、基板として光吸収機能を有するものを用いてもよい。
【００４３】
電極面内に微量のスペーサーを散布し、対向させた基板の四辺を注入孔を除いてエポキシ樹脂等のシール材で封止し、真空注入によって液晶組成物をセルに満たす。
【００４４】
図２は、液晶パネル（液晶表示装置）を駆動する駆動装置の構成例を示すブロック図である。コントローラ１１は、行ドライバ１２に行電極への電圧パルス入力を指示し、列ドライバ１３に列電極への電圧パルス入力を指示する。液晶電源装置１４は、行ドライバ１２および列ドライバ１３に必要な電圧を供給する。行ドライバ１２および列ドライバ１３は、コントローラ１１の指示に従い、行電極２Ｂおよび列電極２Ａに電圧パルスを入力する。コントローラ１１は、各電極の電位を切り替えて、メモリ性液晶４をプレナー状態やフォーカルコニック状態に移行させる。以下、プレナー状態の表示をオン表示、フォーカルコニック状態の表示をオフ表示と記す。
【００４５】
次に、液晶パネル１００の表示を書き換えるときの動作について説明する。
まず、液晶駆動装置は、行電極２Ｂを１本ずつ選択しながら線順次走査し、各画素に配置されたメモリ性液晶４をプレナー状態に移行させるための電圧（オン表示とするための電圧）を印加する。この電圧が印加されるとメモリ性液晶４はホメオトロピック状態になる。そして、電圧印加が終了するとメモリ性液晶４はプレナー状態に移行し、オン表示となる。行電極２Ｂを走査しながら全画素をオン表示にするので、これまで表示されていた画面が消去される。液晶駆動装置は、全ての行電極２Ｂを一本ずつ選択する行電極２Ｂの走査を少なくとも１回行い、画面全体をオン表示にする。
【００４６】
続いて、液晶駆動装置は、行電極２Ｂを線順次走査して、表示データに対応する電圧を印加する。この結果、所望の表示が書き込まれ、表示の書き換えが完了する。液晶駆動装置は、行電極２Ｂの走査を少なくとも１回行って、表示データを書き込む。
【００４７】
メモリ性液晶をオン表示とするための電圧をメモリ性液晶に印加するときの各行電極２Ｂの選択時間をＡｔ秒とする。また、メモリ性液晶をオン表示とするための電圧をメモリ性液晶に印加するときの走査回数をＡｎ回とする。同様に、表示データに対応する電圧をメモリ性液晶に印加するときの各行電極２Ｂの選択時間をＷｔ秒とし、表示データに対応する電圧をメモリ性液晶に印加するときの走査回数をＷｎ回とする。
【００４８】
図３は、表示書換時の駆動波形の例を示す説明図である。図３は、Ａｎ＝Ｗｎ＝２である場合の例を示す。すなわち、画面全体をオン表示とするための走査と、表示データを書き込むための走査をそれぞれ２回ずつ行ったときの例を示す。時間Ｔｐ１，Ｔｐ２は、それぞれオン表示とするための１回目の走査時間と２回目の走査時間を示す。同様に、時間Ｔｄ１，Ｔｄ２は表示データを書き込むための１回目の走査時間と２回目の走査時間を示す。
【００４９】
図３（ａ）は一つの行電極２Ｂに印加される駆動波形の例であり、図３（ｂ）は一つの列電極２Ａに印加される駆動波形の例である。図３（ａ），（ｂ）に示すように、行ドライバ１２は選択された行電極２Ｂに電圧振幅Ｖｒの電圧パルスを入力する。列ドライバ１３は、列電極２Ａに電圧振幅Ｖｃの電圧パルスを入力する。このとき、既に述べたＶｒ＋Ｖｃ＞ＶＰ、Ｖｒ−Ｖｃ＝ＶＦ、Ｖｃ＜ＶＳという条件を満足するようにＶｒおよびＶｃを定める。図３（ｃ）は、図３（ａ），（ｂ）に示す電圧パルスが入力されたときにメモリ性液晶４に印加される電圧の波形を示す。
【００５０】
時間Ｔｐ１において、行ドライバ１２は、選択された行電極２Ｂの電位をＶｒに設定し、選択されていない行電極の電位を０とする。時間Ｔｐ１では、各行電極２Ｂの選択時間はＡｔである。また、列ドライバ１３は、時間Ｔｐ１の間、全ての列電極２Ａの電位を−Ｖｃに設定する。この結果、図３（ｃ）に示すように、選択された行の画素のメモリ性液晶４にはＶｒ＋Ｖｃの電圧が印加され、電圧印加終了後、その画素はオン表示へ移行する。また、選択されていない行の画素のメモリ性液晶４には電圧Ｖｃが印加される。電圧Ｖｃが印加されても、画素の表示状態は変化しない。行ドライバ１２および列ドライバ１３は、時間Ｔｐ２における走査でも、同様に電圧を印加する。
【００５１】
図４は、表示書換時の画面変化の例を示す説明図である。最初に図４（ａ）に示す画面が表示されていたとする。時間Ｔｐ１において、オン表示とするための１回目の走査を行うと、全画素がオン表示に移行し、図４（ｂ）に示すように、表示が消え始める。時間Ｔｐ２において、２回目の走査を行うとさらに表示が消え、図４（ｃ）に示すように残像が消える。
【００５２】
時間Ｔｄ１において、行ドライバ１２は、選択された行電極２Ｂの電位をＶｒに設定し、選択されていない行電極の電位を０とする。時間Ｔｄ１では、各行電極２Ｂの選択時間はＷｔである。また、列ドライバ１３は、各列電極２Ａを、選択された行の表示データに応じてＶｃまたは−Ｖｃに設定する。この結果、選択された行の各画素のメモリ性液晶４にはＶｒ＋ＶｃまたはＶｒ−Ｖｃの電圧設定され、各画素がオン表示またはオフ表示に移行する。各行電極２Ｂが走査されることにより所望の表示に書き換えられる。なお、選択されていない行の画素のメモリ性液晶４には電圧Ｖｃが印加される。電圧Ｖｃが印加されても、画素の表示状態は変化しない。行ドライバ１２および列ドライバ１３は、時間Ｔｄ２における走査でも、同様に電圧を印加する。
【００５３】
図３では、時間Ｔｄ１，Ｔｄ２において、一つの列電極２Ａに電圧Ｖｃが連続的に設定される場合を示した。
【００５４】
時間Ｔｐ２における走査の後、時間Ｔｄ１において表示データを書き込むための走査を行うと、図４（ｄ）に示すように所望の表示が書き込まれる。時間Ｔｄ２において、表示データを書き込むための２回目の走査を行うと、コントラストがより改善され、図４（ｅ）に示すように表示データの書き込みが完了する。
【００５５】
ここでは、オン表示とするための走査と、表示データを書き込むための走査を２回ずつ行う場合（Ａｎ＝Ｗｎ＝２の場合）を示したが、各走査回数は２回でなくてもよい。例えば、電圧Ｖｒ＋Ｖｃをより高く設定したり、選択時間Ａｔを長く設定すれば、オン表示とするための走査を１回行うだけで図４（ｃ）に示すように残像を消すことができる。逆に、電圧Ｖｒ＋Ｖｃをより低く設定したり、選択時間Ａｔを短くすれば、残像を消すための走査回数Ａｎは増加する。
【００５６】
表示データを書き込むための走査を行う場合においても、Ｖｒ＋Ｖｃの電圧をより高く設定したり、選択時間Ｗｔを長く設定すれば、１回の走査で表示データの書き込みを完了することができる。逆に、Ｖｒ＋Ｖｃの電圧をより低く設定したり、選択時間Ｗｔを短く設定すれば、表示データを書き込むための走査回数Ｗｎは増加する。複数回の走査で表示データを書き込む場合には、１回目の走査後と２回目の走査後のコントラストの差が最も大きく、３回目以降の走査ではコントラストの改善の程度は徐々に減少する。
【００５７】
なお、Ｖｒ＋Ｖｃをより高く設定したり、選択時間Ａｔや選択時間Ｗｔを長く設定すると、走査１回あたりの消費電力は増加する。また、選択時間Ａｔや選択時間Ｗｔを長く設定すれば、１回の走査に要する時間も長くなる。
【００５８】
オン表示とするための走査回数Ａｎと、表示データを書き込むための走査回数Ｗｎは、行電極２Ｂの総数をＬとしたときに、Ｌ（Ａｔ・Ａｎ＋Ｗｔ・Ｗｎ）が所定の時間以内になるように定めることが好ましい。Ｌ（Ａｔ・Ａｎ＋Ｗｔ・Ｗｎ）は、オン表示とするための走査の開始から、表示データの書き込み終了までの時間である。したがって、Ｌ（Ａｔ・Ａｎ＋Ｗｔ・Ｗｎ）が所定の時間以内になるという条件を満たすように、ＡｎおよびＷｎを定めれば、所定時間内に表示データの書き換えを完了することができる。表示データの書き換えを行うオペレータは、書換時間が６０秒を超えると、時間がかかりすぎると感じることが多い。そのため、Ｌ（Ａｔ・Ａｎ＋Ｗｔ・Ｗｎ）が６０秒以内になるようにＡｎおよびＷｎを定めることが好ましい。特に、表示データを書き込むための走査回数Ｗｎを１回または２回とすれば、表示の書き換え時間をより短縮できる。従って、Ｗｎを１回または２回に定めることが好ましい。
【００５９】
オン表示とするための走査および表示データを書き込むための走査において、各行電極２Ｂの選択時間Ａｔ，Ｗｔが等しければ、一種類の選択時間を設定すればよいので、コントローラ１１、行ドライバ１２、および列ドライバ１３を簡易化することができる。同様に、走査回数Ａｎ，Ｗｎを等しくする場合にも、コントローラ１１等を簡易化できる。従って、コントローラ１１等の簡易化の観点からは、選択時間Ａｔ，Ｗｔを等しく定めたり、あるいは、走査回数Ａｎ，Ｗｎを等しく定めることが好ましい。
【００６０】
また、Ａｔ≧Ｗｔとすれば、書き込んだ表示のコントラストを向上させ、また、動作許容電圧を広げることができる。ここで、動作許容電圧について説明する。オン表示とするためにメモリ性液晶に電圧Ｖ１を印加することによって、最良のコントラストが得られるとする。しかし、オン表示とするための電圧としてＶ１から少しずれた電圧を印加しても良好なコントラストを維持できる。電圧Ｖ１を中心にして、良好なコントラストを維持できる電圧の幅を動作許容電圧という。コントラストと動作許容電圧の向上の観点からは、Ａｔ≧Ｗｔとすることが好ましく、特にＡｔ≧１．２・Ｗｔとすることが好ましい。Ａｔ≧１．５・Ｗｔとすれば、さらにコントラストや動作許容電圧を向上できる。
【００６１】
また、画面全体をオン表示とした後に、画面全体をオフ表示にしてから表示データを書き込んでもよい。この場合、液晶駆動装置は、オン表示とするための走査を行った後に、行電極２Ｂを線順次走査し、各画素に配置されたメモリ性液晶４をフォーカルコニック状態に移行させる電圧（オフ表示とするための電圧）を印加する。この線順次走査によって各画素のメモリ性液晶４をフォーカルコニック状態にするので、画面全体がオフ表示となる。
【００６２】
図５は、画面全体をオフ表示にしてから表示データを書き込むときの駆動波形の例を示す説明図である。図５（ａ）は一つの行電極２Ｂに印加される駆動波形の例であり、図５（ｂ）は一つの列電極２Ａに印加される駆動波形の例である。図５（ｃ）は、図５（ａ），（ｂ）に示す電圧パルスが入力されたときのメモリ性液晶４の印加電圧の波形を示す。図５に示す時間Ｔｐ１，Ｔｐ２，Ｔｄ１，Ｔｄ２における駆動波形は、図３に示す場合と同様である。時間Ｔｆ１，Ｔｆ２は、それぞれオフ表示とするための１回目の走査時間と２回目の走査時間を示す。
【００６３】
メモリ性液晶をオフ表示とするための電圧をメモリ性液晶に印加するときの各行電極２Ｂの選択時間をＢｔとする。また、メモリ性液晶をオフ表示とするための電圧をメモリ性液晶に印加するときの走査回数をＢｎ回とする。図５は、Ｂｎ＝２の場合を示している。
【００６４】
図５に示す例では、時間Ｔｐ１，Ｔｐ２においてオン表示とするための走査を２回行って、画面全体をオン表示にする。続いて、時間Ｔｆ１において、行ドライバ１２は、選択された行電極２Ｂの電位をＶｒに設定し、選択されていない行電極の電位を０とする。また、列ドライバ１３は、時間Ｔｆ１の間、全ての列電極２Ａの電位をＶｃに設定する。この結果、図５（ｃ）に示すように、選択された行の画素のメモリ性液晶４には電圧Ｖｒ−Ｖｃが印加され、そのメモリ性液晶４は、フォーカルコニック状態に移行する。すなわち、選択された行の画素はオフ表示に移行する。また、選択されていない行の画素のメモリ性液晶４には電圧Ｖｃが印加される。電圧Ｖｃが印加されても、画素の表示状態は変化しない。行ドライバ１２および列ドライバ１３は、時間Ｔｆ２における走査でも、同様に電圧を印加する。
【００６５】
時間Ｔｆ１，Ｔｆ２における走査で、画面全体がオフ表示になる。続いて、時間Ｔｄ１，Ｔｄ２における走査で表示を書き込む。
【００６６】
オン表示とするための走査を行った後にオフ表示とするための走査を行うと、表示データの書換後のコントラストが向上する。したがって、コントラストを向上させるためには、オフ表示とするための走査を行うことが好ましい。
【００６７】
オフ表示とするための走査回数は、２回に限定されない。各行電極２Ｂの選択時間Ｂｔを長く設定すれば、オフ表示とするための走査を１回行うだけで画面全体をオフ表示にすることができる。逆に選択時間Ｂｔを短くすれば、画面全体をオフ表示とするための走査回数Ｂｎは増加する。
【００６８】
本例の場合、Ｌ（Ａｔ・Ａｎ＋Ｂｔ・Ｂｎ＋Ｗｔ・Ｗｎ）が所定の時間以内になるようにＡｎ、Ｂｎ、およびＷｎを定めることが好ましい。特に、Ｌ（Ａｔ・Ａｎ＋Ｂｔ・Ｂｎ＋Ｗｔ・Ｗｎ）が６０秒以内になるようにＡｎ、Ｂｎ、およびＷｎを定めることが好ましい。Ｌ（Ａｔ・Ａｎ＋Ｂｔ・Ｂｎ＋Ｗｔ・Ｗｎ）は、オン表示とするための走査の開始から、表示データの書き込み終了までの時間である。したがって、Ｌ（Ａｔ・Ａｎ＋Ｂｔ・Ｂｎ＋Ｗｔ・Ｗｎ）が６０秒以内になるようにＡｎ、Ｂｎ、およびＷｎを定めれば、６０秒以内に書き換えを完了することができる。特に、表示データを書き込むための走査回数Ｗｎを１回または２回とすれば、表示の書き換え時間をより短縮できる。従って、Ｗｎを１回または２回に定めることが好ましい。
【００６９】
本例においても、選択時間や走査回数を一種類に定めれば、コントローラ１１、行ドライバ１２、および列ドライバ１３を簡易化できる。従って、コントローラ１１等の簡易化の観点からは、Ａｔ，Ｂｔ，およびＷｔを等しく定めたり、あるいは、走査回数Ａｎ，Ｂｎ，およびＷｎを等しく定めることが好ましい。
【００７０】
また、本例においても、コントラストと動作許容電圧の向上の観点からは、Ａｔ≧Ｗｔとすることが好ましく、特にＡｔ≧１．２・Ｗｔとすることが好ましい。Ａｔ≧１．５・Ｗｔとすれば、さらにコントラスト等を向上できる。
【００７１】
図３に示すような、画面全体をオン表示とした後に、画面全体をオフ表示にせずに表示データを書き込む駆動方法は、本例においてＢｎ＝０とした場合に該当する。
【００７２】
上記の各例に示す駆動方法によれば、新たな表示を書き込む前に、全画素をオン表示またはオフ表示にするので、残像を消去することができる。また、全画素をオン表示やオフ表示にするときに、行電極２Ｂを１本ずつ選択しながら走査するので、行ドライバ１２に負荷が生じることがない。
【００７３】
上記の各例では、行電極２Ｂおよび列電極２Ａに入力される電圧パルスの電圧振幅がそれぞれＶｒ，Ｖｃで一定である場合を示した。オン表示とするための走査、オフ表示とするための走査、および表示データを書き込むための走査で、これらの電圧振幅を変化させてもよい。
【００７４】
例えば、表示データを書き込むための走査では、行電極２Ｂおよび列電極２Ａに対する電圧振幅をそれぞれＶｒ，Ｖｃとして、各画素にＶｒ＋ＶｃまたはＶｒ−Ｖｃの電圧を印加するものとする。このとき、オン表示とするための走査では、ＶｒおよびＶｃ以外の電圧振幅でメモリ性液晶にＶｒ＋Ｖｃとは異なる電圧を印加することで画面全体をオン表示にしてもよい。同様に、オフ表示とするための走査でも、Ｖｒ，Ｖｃ以外の電圧振幅でメモリ性液晶にＶｒ−Ｖｃとは異なる電圧を印加することで画面全体をオフ表示にしてもよい。以下、オン表示とするための走査においてメモリ性液晶に印加される電圧をＡｖと記し、オフ表示とするための走査においてメモリ性液晶に印加される電圧をＢｖと記す。
【００７５】
ただし、メモリ性液晶をプレナーに移行させるための電圧は、フォーカルコニックに移行させるための電圧よりも高い。したがって、メモリ性液晶をオン表示とするための電圧Ａｖは、メモリ性液晶をオフ表示とするための電圧Ｂｖよりも高くする。このように電圧Ａｖを印加して画面全体をオン表示にした後に、電圧Ａｖより低い電圧Ｂｖを印加して画面全体をオフ表示にすることで、表示データを書き込んだのちに良好なコントラストと動作許容電圧が得られる。
【００７６】
なお、上記の各例では、線順次走査を行う場合について説明したが、行電極２Ｂの走査は線順次走査でなくてもよい。
【００７７】
上記の各例において、各走査毎に極性を逆転させながら、メモリ性液晶４に電圧を印加してもよい。すなわち、各走査毎に、行電極２Ｂの電位と列電極２Ａの電位の高低関係を逆転させて電圧を印加してもよい。図６は、オン表示とするための走査において各走査毎に極性を逆転させる場合の駆動波形の例を示す。図６（ａ），（ｂ）は、それぞれ一つの行電極２Ｂ、一つの列電極２Ａに印加される駆動波形を示す。図６（ｃ）は、メモリ性液晶４に印加される電圧の波形を示す。図６（ｃ）では、行電極２Ｂの電位が列電極２Ａの電位よりも高く設定された場合の電圧を正として示し、行電極２Ｂの電位が列電極２Ａの電位よりも低く設定された場合の電圧を負として示している。
【００７８】
図６に示すように、１回目の走査で選択した行電極２Ｂの電位をＶｒとしたならば、次の走査では選択した行電極２Ｂの電位を−Ｖｒに設定する。一方、列電極２Ａの電位は、１回目の走査で−Ｖｃに設定したならば、２回目の走査でＶｃに設定する。この結果、１回目の走査で選択された行のメモリ性液晶にはＶｒ＋Ｖｃが印加され、２回目の走査で選択されたときには−（Ｖｒ＋Ｖｃ）が印加される。このように、極性の逆転を繰り返して電圧を印加してもよい。オフ表示とするための走査や、表示データを書き込むための走査においても、各走査毎に極性を反転させてよい。
【００７９】
また、各行電極２Ｂの選択時間内で極性を反転させてもよい。すなわち、選択時間内で行電極２Ｂの電位と列電極２Ａの電位の高低関係を逆転させながら、電圧を印加してもよい。図７は、オン表示とするための走査において、選択期間内で極性を逆転させる場合の駆動波形の例を示す。図７（ａ），（ｂ）は、それぞれ一つの行電極２Ｂ、一つ列電極２Ａの駆動波形である。図７（ｃ）は、メモリ性液晶に印加される電圧の波形である。図７に示すように、選択期間Ａｔ内で、行電極２Ｂの電位を、Ｖｒ，−Ｖｒに交互に逆転する。また、列電極２Ａの電位を、−Ｖｃ，Ｖｃに交互に逆転する。この結果、選択された行のメモリ性液晶４には、Ｖｒ＋Ｖｃ，−（Ｖｒ＋Ｖｃ）の電圧が交互に印加される。このように、選択期間内で極性を反転させてもよい。オフ表示とするための走査や、表示データを書き込むための走査においても、同様に極性を反転させてよい。
【００８０】
選択期間内で極性を反転させるようにすると、消費電力が増加する。しかし、表示データを書き込むための走査において、選択期間内で極性を反転させると、画面に筋が発生することを防止できる。よって、表示書換時の見映えを向上させるために、表示データを書き込むための走査では、選択期間内で極性を反転させることが好ましい。
【００８１】
【実施例】
次に、本発明の実施例について説明する。
［例１］２４０本のストライプ状の透明電極を有するガラス基板と、３２０本のストライプ状の透明電極を有するガラス基板を作成した。各ガラス基板の液晶層と接する面に無機薄膜を作成し、その後、上下基板面に直径４μｍの樹脂性のスペーサーを散布した。注入孔を除く四辺に、幅約０．４ｍｍで印刷したエポキシ樹脂を介してストライプ状電極が交差するように、ガラス基板を重ね合わせて、空セルを形成した。
【００８２】
市販のネマチック液晶（メルク・ジャパン株式会社製「ＭＪ００４２３」：Ｔｃ＝９４．０℃、Δｎ＝０．２３０、ε＝１５．０）の７０．８質量部、式１に示すカイラル剤１４．６質量部、式２に示すカイラル剤１４．６質量部からなるカイラルネマチック液晶Ａ（以下、液晶Ａと記す。）を調整した。
【００８３】
【化１】
0004048889.tif 000002
【００８４】
【化２】
0004048889.tif 000003
【００８５】
上述したように、液晶層のピッチｐは、カイラル剤等の光学活性物質の添加量ｃと、光学活性物質のＨＴＰ（ヘリカル・ツイスティング・パワー）の定数に基づき、ｐ＝１／（ｃ・ＨＴＰ）の式で決定される。
よって、カイラルネマチック液晶表示素子の選択反射波長を、赤外線、紫外線および可視域の波長領域になるように、調整することができる。
たとえば、前記のネマチック液晶（ＭＪ００４２３）を８３質量部、式１に示すカイラル剤を８．５質量部、式２に示すカイラル剤を８．５質量部からなるカイラルネマチック液晶の選択波長域は赤外光領域となる。そして、カイラルネマチック液晶を含むメモリ性液晶が、プレナー状態の際に透明、フォーカルコニック状態の際に散乱を示し、この２状態を電圧で可逆的に制御可能である。このようにして、透過散乱の２つの表示状態を呈することができる。
【００８６】
先に作製した空セルに液晶Ａを真空注入法で注入し、注入孔を紫外線硬化の封止材で封止して液晶パネルを作製した。この液晶パネルでは、２４０本の透明電極を行電極、３２０本の透明電極を列電極とし、行ドライバおよび列ドライバをそれぞれ行電極および列電極に接続した。なお、本例では、行ドライバおよび列ドライバを備える駆動装置として、サンウォーター株式会社製の任意波形発生器を使用した。
【００８７】
図８は、駆動パラメータの組み合わせの例と、各組あわせにおけるコントラスト等の計測結果を示す。図８に示すように、オン表示とするための走査回数Ａｎ、メモリ性液晶をオン表示とするための電圧Ａｖ、オフ表示とするための走査回数Ｂｎ、メモリ性液晶をオフ表示とするための電圧Ｂｖ、表示データを書き込むための走査回数Ｗｎ、選択時間Ａｔ，Ｂｔ，Ｗｔを変化させて、液晶パネルを駆動した。表示データを書き込むための走査における行電極に対する電圧振幅Ｖｒは１６Ｖとし、列電極に対する電圧振幅Ｖｃは２Ｖとした。すなわち、表示を書き込むための走査では、オン表示とするメモリ性液晶にＶｒ＋Ｖｃ＝１８Ｖを印加し、オフ表示とするメモリ性液晶にＶｒ−Ｖｃ＝１４Ｖを印加した。
【００８８】
この各パラメータの組み合わせにおける、表示書換時間およびコントラストを計測し、また、表示を書き換えた後に残像が生じているか否かを確認した。計測結果は、図８に示すとおりである。図８に示す各パラメータの組み合わせにおいて、表示書換時間はいずれも６０秒以下であった。また、いずれの場合も６以上のコントラストを実現することができ、残像は確認されなかった。
【００８９】
［比較例１］オン表示とするための走査と、オフ表示とするための走査を行わずに表示を書き換えた。このときのパラメータの組み合わせおよび計測結果を図９に示す。図９に示すように、表示データを書き込むための走査回数Ｗｎを変化させた。また、選択時間Ｗｔは２０ｍｓとした。この場合、図９に示すように、コントラストは例１の場合よりも低くなり、また、残像が確認された。
【００９０】
例１と比較例１の結果から、画面全体をオン表示とするための走査やオフ表示とするための走査を行い、次に表示データを書き込むための走査を行うことで、残像がなく、よりコントラストが高い表示が得られることがわかる。
【００９１】
また、電圧Ａｖを１８Ｖとし、電圧Ｖｒ＋Ｖｃも１８Ｖとなるようにして、液晶パネルを駆動した。このとき、選択時間Ｗｔと選択時間Ａｔの比を変化させて、表示書換後のコントラストおよび動作許容電圧を測定した。この測定結果を図１０に示す。この測定結果から、選択時間Ｗｔよりも選択時間Ａｔを長くしていけば、コントラストはより向上し、また動作許容電圧はより広がることがわかる。
【００９２】
次に、本発明の駆動方法により駆動される液晶表示装置の使用例について説明する。従来、小売店では、商品の価格等を記載した札（以下、棚札と記す。）を商品棚に貼って価格等を示していた。本発明の駆動方法により駆動される液晶表示装置は、棚札として用いることができる。図１１は、棚札として使用された液晶表示装置が表示する情報の例である。日毎に価格等の情報が変わる場合には、本発明の駆動方法によって新たな表示に書き換えればよい。図１１に示す情報を書き換える場合であっても、新たな表示に「９８円」等の情報が残像として残ることはない。縦９ｃｍ、横１１ｃｍの大きさの表示を行う場合、例えば、２４０本の行電極と３２０本の列電極を用いて、図１１に示す表示を書き込むことができる。なお、このときの１画素の大きさは、縦０．３３ｍｍ、横０．３３ｍｍである。
【００９３】
下記の表１は、本発明におけるＡｎ，ＢｎおよびＷｎのようなパラメータのその他の組み合わせを示すものである。
【００９４】
【表１】
0004048889.tif 000004
【００９５】
【発明の効果】
本発明の態様１では、残像を残さずに、所定の時間以内で表示を書き換えることができ、また、行ドライバや列ドライバでの負荷発生を防止することができる。また、良好なコントラストで表示を行うことができる。態様２では、Ａｔ＝Ｂｔ＝Ｗｔとするので駆動装置を簡易化することができる。態様３では、Ａｎ＝Ｂｎ＝Ｗｎとするので駆動装置を簡易化することができる。
【００９６】
態様４のようにＢｎ＝０としても、残像を残さずに、所定の時間以内で表示を書き換えることができ、また、行ドライバや列ドライバでの負荷発生を防止することができる。また、態様５では、Ｂｎ＝０かつＡｎ＝Ｗｎとするので駆動装置を簡易化することができる。
【００９７】
態様６では、Ａｔ≧Ｗｔとするので、コントラストを向上でき、また、動作許容電圧を広げることができる。態様７では、Ａｔ≧１．２・Ｗｔとするので、よりコントラストを向上でき、より動作許容電圧を広げることができる。態様８では、Ｗｎを１または２とするので、表示の書き換え完了までの時間を短縮することができる。
【図面の簡単な説明】
【図１】  メモリ性液晶を用いた液晶パネルの概略構成を示す断面図。
【図２】  液晶パネルを駆動する駆動装置の構成例を示すブロック図。
【図３】  表示書換時の駆動波形の例を示す説明図。
【図４】  表示書換時の画面変化の例を示す説明図。
【図５】  表示書換時の駆動波形の例を示す説明図。
【図６】  各走査毎の極性の逆転の例を示す説明図。
【図７】  選択時間内における極性の逆転の例を示す説明図。
【図８】  実施例の設定パラメータおよび測定結果を示す図。
【図９】  比較例の設定パラメータおよび測定結果を示す図。
【図１０】  選択時間の比を変化させたときのコントラストおよび動作許容範囲電圧の測定結果を示す図。
【図１１】  液晶パネルが表示する情報の例を示す説明図。
【図１２】  メモリ性液晶の配向状態の一例を示す説明図。
【符号の説明】
１Ａ，１Ｂ  ガラス基板
２Ａ，２Ｂ  電極
３Ａ，３Ｂ  高分子薄膜
４    液晶組成物
５    光吸収体
１１  コントローラ
１２  行ドライバ
１３  列ドライバ
１４  液晶電源装置
【図１】
0004048889.tif 000005
【図２】
0004048889.tif 000006
【図３】
0004048889.tif 000007
【図４】
0004048889.tif 000008
【図５】
0004048889.tif 000009
【図６】
0004048889.tif 000010
【図７】
0004048889.tif 000011
【図８】
0004048889.tif 000012
【図９】
0004048889.tif 000013
【図１０】
0004048889.tif 000014
【図１１】
0004048889.tif 000015
【図１２】
0004048889.tif 000016